(57)【特許請求の範囲】
【請求項１】
濃縮型の液体洗浄剤組成物であって、
（Ａ）一般式（１）で表される化合物０．５〜５重量％と、
（Ｂ）安息香酸及び／又はその塩１〜１５重量％と、
（Ｃ）マグネシウム含有化合物０．０１〜３重量％とを必須成分として含有することを特徴とする液体洗浄剤組成物。
【化１】
0006359910.tif 000007
［式中、Ｒは炭素数６〜１８のアルキル基又はアルケニル基であり、Ａ１Ｏ及びＡ２Ｏはそれぞれ同一又は異なって、炭素数２〜４の直鎖又は分岐鎖を有するオキシアルキレン基であり、ｍ及びｎはアルキレンオキサイドの平均付加モル数であって、独立して０〜５の数であり、ｍ＋ｎは１〜５の数である。］
【請求項２】
さらに、（Ｄ）陰イオン界面活性剤を１０〜４０重量％含有する請求項１に記載の液体洗浄剤組成物。
【請求項３】
さらに、（Ｅ）両性界面活性剤を０．５〜１０重量％含有する請求項１又は２に記載の液体洗浄剤組成物。
【請求項４】
２０℃における粘度が１００〜１，０００ｍＰａ・ｓであり、かつ、水で６倍に希釈した際の希釈液の２０℃における粘度が１００〜１，０００ｍＰａ・ｓである請求項１〜３のいずれかに記載の液体洗浄剤組成物。
【請求項５】
ｐＨが５〜９である請求項１〜４のいずれかに記載の液体洗浄剤組成物。
【発明の詳細な説明】
【技術分野】
【０００１】
本発明は、濃縮型の液体洗浄剤組成物に関する。
【背景技術】
【０００２】
従来、食器、厨房器具、野菜、果物等を洗浄するために使用される食器用洗浄剤は、液体状のものが主流である。このような食器用液体洗浄剤では、業務用の食器用液体洗浄剤を中心に、環境への負荷の観点から、高濃度洗浄剤を水で薄めて使用する濃縮型の液体洗浄剤組成物が求められている。希釈倍率としては２〜６倍のものが多く用いられており、このような濃縮型の液体洗浄剤組成物においては、希釈した際の希釈液が使用に適した粘度を有することが望ましい。また、製造時の作業性を考慮すると、濃縮型の液体洗浄剤組成物自身（原液）の粘度が高すぎないことが望ましい。
【０００３】
濃縮型の液体洗浄剤組成物では、界面活性剤を水に溶けやすくし、低温での保存安定性を向上させるために、ハイドロトロープ剤が用いられている。例えば、特許文献１には、ハイドロトロープ剤として安息香酸ナトリウムやパラトルエンスルホン酸ナトリウムを用いた液体洗浄剤組成物が開示されている。
【先行技術文献】
【特許文献】
【０００４】
【特許文献１】特許第３２７９４８５号公報
【発明の概要】
【発明が解決しようとする課題】
【０００５】
しかしながら、ハイドロトロープ剤として安息香酸ナトリウムやパラトルエンスルホン酸ナトリウムを用いた液体洗浄剤組成物は、泡持ちが悪く、また、希釈液の粘度が低いという問題があった。ここで、「泡持ち」とは、油汚れを洗浄する際に泡立ちを維持することをいう。
【０００６】
本発明は、上記の問題を解決するためになされたものであり、希釈前後で適度な粘度及び透明外観を有し、かつ、泡持ち性及び洗浄力の高い濃縮型の液体洗浄剤組成物を提供することを目的とする。
【課題を解決するための手段】
【０００７】
上記目的を達成するために、本発明の液体洗浄剤組成物は、濃縮型の液体洗浄剤組成物であって、（Ａ）一般式（１）で表される化合物０．５〜５重量％と、（Ｂ）安息香酸及び／又はその塩１〜１５重量％と、（Ｃ）マグネシウム含有化合物０．０１〜３重量％とを必須成分として含有することを特徴とする。
なお、本明細書における各成分の濃度（重量％）は、特に断りがない限り液体洗浄剤組成物中における各成分の純分での濃度として定める。
【０００８】
【化１】
0006359910.tif 000002
【０００９】
式中、Ｒは炭素数６〜１８のアルキル基又はアルケニル基であり、Ａ１Ｏ及びＡ２Ｏはそれぞれ同一又は異なって、炭素数２〜４の直鎖又は分岐鎖を有するオキシアルキレン基であり、ｍ及びｎはアルキレンオキサイドの平均付加モル数であって、独立して０〜５の数であり、ｍ＋ｎは１〜５の数である。
【００１０】
本発明の液体洗浄剤組成物は、上記（Ｂ）成分を１〜１５重量％と、上記（Ｃ）成分を０．０１〜３重量％とを含む。上記（Ｂ）成分を１〜１５重量％と、上記（Ｃ）成分を０．０１〜３重量％とを含むと、希釈前後で適度な粘度及び透明外観を有する液体洗浄剤組成物となる。特に、高倍率に希釈した場合であっても、液体洗浄剤組成物の希釈液は適度な粘度を有する。また、液体洗浄剤組成物の泡持ち性が向上し、さらに、液体洗浄剤組成物が優れた洗浄力を発揮する。
【００１１】
上記（Ｂ）成分の含有量が１重量％未満であると、液体洗浄剤組成物自身（原液）の透明外観を維持し難くなる。液体洗浄剤組成物自身（原液）の透明外観を維持するために有機溶剤等を用いると、液体洗浄剤組成物の希釈液の粘度が低くなる。また、上記（Ｂ）成分の含有量が１５重量％を超えると、液体洗浄剤組成物の希釈液の透明外観を維持し難くなる。
上記（Ｃ）成分の含有量が０．０１重量％未満であると、液体洗浄剤組成物の泡持ち性が悪くなる。また、上記（Ｃ）成分の含有量が３重量％を超えると、液体洗浄剤組成物自身及び希釈液の透明外観を維持し難くなる。
上記（Ｂ）成分及び上記（Ｃ）成分のいずれかの含有量が上記範囲を満たさないと、希釈液の粘度が低くなりすぎる。
【００１２】
本発明の液体洗浄剤組成物においては、上記一般式（１）におけるＲが炭素数６〜１８のアルキル基又はアルケニル基であり、Ａ１Ｏ及びＡ２Ｏはそれぞれ同一又は異なって、炭素数２〜４の直鎖又は分岐鎖を有するオキシアルキレン基であり、ｍ及びｎはアルキレンオキサイドの平均付加モル数であって、独立して０〜５の数であり、ｍ＋ｎは１〜５の数である。このような条件を満たした場合、希釈前後において液体洗浄剤組成物の粘度を好適に保つことができる。
【００１３】
本発明の液体洗浄剤組成物は、さらに、（Ｄ）陰イオン界面活性剤を１０〜４０重量％含有することが望ましい。上記（Ｄ）成分を１０〜４０重量％含有すると、洗浄時により優れた洗浄力を発揮する。
上記（Ｄ）成分の含有量が１０重量％未満であると、液体洗浄剤組成物の洗浄力が劣る場合がある。また、液体洗浄剤組成物の透明外観を維持し難くなる場合がある。また、上記（Ｄ）成分の含有量が４０重量％を超えると、液体洗浄剤組成物が高粘度化して、製造時の作業性に支障をきたす場合がある。また、液体洗浄剤組成物の透明外観を維持し難くなる場合がある。
【００１４】
本発明の液体洗浄剤組成物は、さらに、（Ｅ）両性界面活性剤を０．５〜１０重量％含有することが望ましい。上記（Ｅ）成分を０．５〜１０重量％含有すると、希釈液の粘度を適度に維持しやすくなる。
上記（Ｅ）成分の含有量が０．５重量％未満であると、液体洗浄剤組成物の希釈液の粘度が低すぎて、液体洗浄剤組成物がスポンジ等から流れ落ち易くなる場合がある。また、上記（Ｅ）成分の含有量が１０重量％を超えると、液体洗浄剤組成物の原液の粘度が高すぎて、製造時の取り扱い性が悪くなる場合がある。また、液体洗浄剤組成物の透明外観を維持し難くなる場合がある。
【００１５】
本発明の液体洗浄剤組成物は、２０℃における粘度が１００〜１，０００ｍＰａ・ｓであり、かつ、水で６倍に希釈した際の希釈液の２０℃における粘度が１００〜１，０００ｍＰａ・ｓであることが望ましい。
原液の粘度が上記範囲であると、製造時に取り扱いやすい。また、原液及び希釈液の粘度が上記範囲であると、原液又は希釈液を使用する際にスポンジ等から流れ落ちにくくなり、スポンジ等に含まれる洗浄剤濃度を高く保つことができる。
【００１６】
本発明の液体洗浄剤組成物は、ｐＨが５〜９であることが望ましい。
ｐＨが上記範囲であると、食品衛生法に基づく食品、添加物等の規格基準（昭和３４年１２月２８日、厚生省告示第３７０号）で定められるｐＨを満足することができる。
【発明の効果】
【００１７】
本発明の液体洗浄剤組成物は、希釈前後で適度な粘度及び透明外観を有し、かつ、泡持ち性及び洗浄力の高い濃縮型の液体洗浄剤組成物を提供することができる。
【発明を実施するための形態】
【００１８】
以下、本発明について具体的に説明する。しかしながら、本発明は、以下の実施形態に限定されるものではなく、本発明の要旨を変更しない範囲において適宜変更して適用することができる。
【００１９】
まず、本発明の液体洗浄剤組成物について説明する。
本発明の液体洗浄剤組成物は、濃縮型の液体洗浄剤組成物であって、（Ａ）一般式（１）で表される化合物０．５〜５重量％と、（Ｂ）安息香酸及び／又はその塩１〜１５重量％と、（Ｃ）マグネシウム含有化合物０．０１〜３重量％とを必須成分として含有することを特徴とする。
【００２０】
【化２】
0006359910.tif 000003
【００２１】
式中、Ｒは炭素数６〜１８のアルキル基又はアルケニル基であり、Ａ１Ｏ及びＡ２Ｏは、それぞれ同一又は異なって、炭素数２〜４の直鎖又は分岐鎖を有するオキシアルキレン基であり、ｍ及びｎはアルキレンオキサイドの平均付加モル数であって、独立して０〜５の数であり、ｍ＋ｎは１〜５の数である。
【００２２】
上記一般式（１）におけるＲとしては、炭素数が６〜１８のアルキル基又はアルケニル基であり、炭素数が６〜１６のアルキル基又はアルケニル基であることが好ましく、炭素数７〜１４のアルキル基又はアルケニル基であることがより好ましい。
また、上記一般式（１）におけるＲとして、天然油脂由来のアルキル基、例えば、炭素数６〜１８のヤシ油脂肪酸由来のアルキル基を用いてもよい。
【００２３】
炭素数６〜１８のアルキル基としては、例えばｎ−ヘキシル基、ｓ−ヘキシル基、ｔ−ヘキシル基、イソヘキシル基、ｎ−ヘプチル基、ｓ−ヘプチル基、ｔ−ヘプチル基、イソヘプチル基、ｎ−オクチル基、ｓ−オクチル基、ｔ−オクチル基、イソオクチル基、ｎ−ノニル基、ｓ−ノニル基、ｔ−ノニル基、イソノニル基、ｎ−デシル基、ｓ−デシル基、ｔ−デシル基、イソデシル基、ｎ−ウンデシル基、ｓ−ウンデシル基、ｔ−ウンデシル基、イソウンデシル基、ｎ−ドデシル基、ｓ−ドデシル基、ｔ−ドデシル基、イソドデシル基、ｎ−トリデシル基、ｓ−トリデシル基、ｔ−トリデシル基、イソトリデシル基、ｎ−テトラデシル基、ｓ−テトラデシル基、ｔ−テトラデシル基、イソテトラデシル基、ｎ−ペンタデシル基、ｓ−ペンタデシル基、ｔ−ペンタデシル基、イソペンタデシル基、ｎ−ヘキサデシル基、ｓ−ヘキサデシル基、ｔ−ヘキサデシル基、イソヘキサデシル基、ｎ−ヘプタデシル基、ｓ−ヘプタデシル基、ｔ−ヘプタデシル基、イソヘプタデシル基、ｎ−オクタデシル基、ｓ−オクタデシル基、ｔ−オクタデシル基、イソオクタデシル基等が挙げられる。これらのうち、ｎ−ヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基が好ましく、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基がより好ましい。
【００２４】
炭素数６〜１８のアルケニル基としては、例えば、ヘキセニル基、ヘプテニル基、オクテニル基、ノネニル基、デセニル基、ウンデセニル基、ドデセニル基、トリデセニル基、テトラデセニル基、ペンタデセニル基、ヘキサデセニル基、ヘプタデセニル基、オクタデセニル基等が挙げられる。これらのうち、ヘキセニル基、ヘプテニル基、オクテニル基、ノネニル基、デセニル基、ウンデセニル基、ドデセニル基、トリデセニル基、テトラデセニル基、ペンタデセニル基、ヘキサデセニル基が好ましく、ヘプテニル基、オクテニル基、ノネニル基、デセニル基、ウンデセニル基、ドデセニル基、トリデセニル基、テトラデセニル基がより好ましい。
【００２５】
上記一般式（１）における炭素数２〜４の直鎖又は分岐鎖を有するオキシアルキレン基としては、オキシエチレン基、オキシプロピレン基、オキシブチレン基などが挙げられる。
（Ａ１Ｏ）ｍ及び（Ａ２Ｏ）ｎはそれぞれ、オキシエチレン基のみの繰返しでもよく、オキシプロピレン基のみの繰返しでもよく、オキシブチレン基のみの繰返しでもよく、これらが混在していてもよい。これらの中でも、Ａ１Ｏ及びＡ２Ｏとしてはオキシエチレン基のみの繰返し及びオキシプロピレン基のみの繰返しが好ましく、オキシエチレン基のみの繰返しがより好ましい。
オキシエチレン基、オキシプロピレン基、オキシブチレン基が混在している場合、オキシエチレン基、オキシプロピレン基、オキシブチレン基がランダム状に繰り返されていてもよく、ブロック状に繰り返されていてもよい。
【００２６】
上記一般式（１）におけるｍ及びｎは、独立して０〜５の数であり、０〜４であることが好ましく、０〜３であることがさらに好ましく、０〜２であることが特に好ましい。また、ｍ及びｎの合計は、１〜５の数であり、１〜４であることが好ましく、１〜３であることがさらに好ましい。
【００２７】
上記（Ａ）成分の含有量は、０．５〜５重量％である。好ましくは、０．５〜４重量％であり、より好ましくは、１〜４重量％である。上記（Ａ）成分の含有量が０．５重量％未満であると、希釈時に粘度が低くなりすぎたり、泡持ち性が低下したりする。また、５重量％を超えると、希釈時に粘度が低くなり、また、洗浄力が劣る。
上記（Ａ）成分は、単独で用いても、２種以上を組み合わせてもよい。上記（Ａ）成分が２種以上含まれる場合、上記含有量は、各（Ａ）成分の含有量の合計として定める。
【００２８】
上記（Ｂ）成分は、安息香酸及び／又はその塩である。塩としては、例えば、カリウム、ナトリウム等のアルカリ金属の塩、カルシウム等のアルカリ土類金属の塩、モノエタノールアミン、ジエタノールアミン、トリエタノールアミン等のアミン類等を挙げることができる。これらの中では、アルカリ金属の塩が好ましく、経済性の点からナトリウム塩がより好ましい。
上記（Ｂ）成分は、単独で用いても、２種以上を組み合わせてもよい。
【００２９】
上記（Ｂ）成分の含有量は、１〜１５重量％である。好ましくは、３〜１２重量％であり、より好ましくは、５〜１０重量％である。
上記（Ｂ）成分が２種以上含まれる場合、上記含有量は、各（Ｂ）成分の含有量の合計として定める。
【００３０】
上記（Ｃ）成分としては、塩化マグネシウム、硫酸マグネシウム、硝酸マグネシウム、水酸化マグネシウム、炭酸マグネシウム、リン酸マグネシウム、酢酸マグネシウム、プロピオン酸マグネシウム、乳酸マグネシウム、クエン酸マグネシウム、ＥＤＴＡマグネシウム、リンゴ酸マグネシウム、グルコン酸マグネシウム、ベンゼンスルホン酸マグネシウム等が挙げられる。これらの中でも、塩化マグネシウム、水酸化マグネシウム、硫酸マグネシウムであることが好ましく、塩化マグネシウム、水酸化マグネシウムであることがより好ましい。
上記（Ｃ）成分は、無水物であってもいいし、水和物であってもよい。また、上記（Ｃ）成分は、単独で用いても、２種以上を組み合わせてもよい。
【００３１】
上記（Ｃ）成分の含有量は、０．０１〜３重量％である。好ましくは、０．１〜２重量％であり、より好ましくは、０．２〜１重量％である。
上記（Ｃ）成分が２種以上含まれる場合、上記含有量は、各（Ｃ）成分の含有量の合計として定める。
【００３２】
上記（Ｃ）成分におけるマグネシウムイオン量は、液体洗浄剤組成物全量に対して、０．０１〜１重量％であることが好ましい。より好ましくは、０．１〜０．５重量％であり、さらに好ましくは、０．１５〜０．３重量％である。
マグネシウムイオン量は、マグネシウム原子量２４．３とマグネシウム含有化合物の分子量とを用いて、下記式（２）により算出することができる。式中、Ｍｇはマグネシウムを意味する。
【数１】
0006359910.tif 000004
【００３３】
例えば、上記（Ｃ）成分が水酸化マグネシウムである場合、上記（Ｃ）成分におけるマグネシウムイオン量は、液体洗浄剤組成物全量に対して、０．００４〜１．２５重量％である。好ましくは、０．０１〜１．２重量％であり、より好ましくは、０．１５〜０．３重量％である。
また、上記（Ｃ）成分が塩化マグネシウム・６水和物である場合、上記（Ｃ）成分におけるマグネシウムイオン量は、液体洗浄剤組成物全量に対して、０．００１〜０．３５９重量％である。好ましくは、０．０１〜０．３５重量％であり、より好ましくは、０．１５〜０．３重量％である。
【００３４】
上記（Ｂ）成分及び上記（Ｃ）成分としては、上記（Ｂ）成分及び上記（Ｃ）成分のいずれにも該当する安息香酸マグネシウムであってもよい。上記（Ｂ）成分及び上記（Ｃ）成分として安息香酸マグネシウムを含む場合、安息香酸マグネシウムの含有量は、０．１〜１１重量％である。好ましくは、０．１〜５．５重量％であり、より好ましくは、０．１〜３．３重量％である。
【００３５】
本発明の液体洗浄剤組成物は、さらに、（Ｄ）陰イオン界面活性剤を１０〜４０重量％含有することが望ましい。
上記（Ｄ）成分としては、α−スルホ脂肪酸エステル塩、アルカンスルホン酸塩、α−オレフィンスルホン酸塩、アルキル硫酸塩、アルキルスルホコハク酸塩、ポリオキシアルキレンアルキルエーテル硫酸エステル塩、ポリオキシアルキレンアルケニルエーテル硫酸エステル塩、ポリオキシアルキレンアルキルエーテルカルボン酸塩及びポリオキシアルキレンアルケニルエーテルカルボン酸塩からなる群より選択された少なくとも一種であることが好ましい。
特に、濃縮型の液体洗浄剤組成物の調製に適しているという観点から、アルカンスルホン酸塩（ＳＡＳ）、α−オレフィンスルホン酸塩（ＡＯＳ）、アルキル硫酸塩（ＡＳ）、ポリオキシエチレンアルキルエーテル硫酸エステル塩（ＡＥＳ）、及び、ポリオキシエチレンアルケニルエーテル硫酸エステル塩（ＡＥＳ）からなる群より選択された少なくとも一種であることが好ましい。
【００３６】
塩としては、例えば、カリウム、ナトリウム等のアルカリ金属の塩、マグネシウム、カルシウム等のアルカリ土類金属の塩を挙げることができる。これらの中では、アルカリ金属の塩が好ましく、経済性の点からナトリウム塩がより好ましい。
【００３７】
α−スルホ脂肪酸エステル塩としては、脂肪酸残基の炭素数が８〜１８であるα−スルホ脂肪酸エステル塩等が挙げられる。特に、脂肪酸残基の炭素数が１６のα−スルホ脂肪酸エステル塩であることが好ましい。これらは、単独で用いても、２種以上を組み合わせて用いてもよい。
【００３８】
アルカンスルホン酸塩（ＳＡＳ）としては、炭素数８〜１８の２級アルカンスルホン酸ナトリウム、炭素数８〜１８の２級アルカンスルホン酸カリウム等が挙げられる。特に、炭素数１３〜１７の２級アルカンスルホン酸ナトリウムであることが好ましい。これらは、単独で用いても、２種以上を組み合わせて用いてもよい。
【００３９】
α−オレフィンスルホン酸塩（ＡＯＳ）としては、炭素数８〜１８のα−オレフィンスルホン酸ナトリウム、炭素数８〜１８のα−オレフィンスルホン酸カリウム等が挙げられる。特に、炭素数１４のα−オレフィンスルホン酸ナトリウムであることが好ましい。これらは、単独で用いても、２種以上を組み合わせて用いてもよい。
【００４０】
アルキル硫酸塩（ＡＳ）としては、炭素数８〜１８のアルキル硫酸ナトリウム、炭素数８〜１８のアルキル硫酸カリウム等が挙げられる。特に、ドデシル硫酸ナトリウムであることがより好ましい。これらは、単独で用いても、２種以上を組み合わせて用いてもよい。
【００４１】
アルキルスルホコハク酸塩としては、炭素数８〜１８のアルキルスルホコハク酸ナトリウム、炭素数８〜１８のポリオキシエチレンアルキルスルホコハク酸ナトリウム等が挙げられる。特に、ポリオキシエチレンスルホコハク酸ラウリル二ナトリウムであることがより好ましい。これらは、単独で用いても、２種以上を組み合わせて用いてもよい。
【００４２】
ポリオキシアルキレンアルキルエーテル硫酸エステル塩及びポリオキシアルキレンアルケニルエーテル硫酸エステル塩としては、ポリオキシエチレンアルキルエーテル硫酸エステル塩（ＡＥＳ）、ポリオキシエチレンアルケニルエーテル硫酸エステル塩（ＡＥＳ）等が挙げられる。
特に、ポリオキシエチレンラウリルエーテル硫酸ナトリウム、ポリオキシエチレントリデシルエーテル硫酸ナトリウムであることがより好ましい。これらは、単独で用いても、２種以上を組み合わせて用いてもよい。
【００４３】
ポリオキシアルキレンアルキルエーテルカルボン酸塩及びポリオキシアルキレンアルケニルエーテルカルボン酸塩としては、ポリオキシエチレンアルキルエーテルカルボン酸塩、ポリオキシエチレンアルケニルエーテルカルボン酸塩等が挙げられる。
特に、ポリオキシエチレンラウリルエーテルカルボン酸ナトリウム、ポリオキシエチレントリデシルエーテルカルボン酸ナトリウムであることがより好ましい。これらは、単独で用いても、２種以上を組み合わせて用いてもよい。
【００４４】
上記（Ｄ）成分を２種以上組み合わせて用いる場合の好ましい組み合わせとしては、ポリオキシエチレンアルキルエーテル硫酸エステル塩（ＡＥＳ）、α−オレフィンスルホン酸塩（ＡＯＳ）及びアルカンスルホン酸塩（ＳＡＳ）の組み合わせ、α−オレフィンスルホン酸塩（ＡＯＳ）及びアルカンスルホン酸塩（ＳＡＳ）の組み合わせ、ポリオキシエチレンアルキルエーテル硫酸エステル塩（ＡＥＳ）及びアルカンスルホン酸塩（ＳＡＳ）の組み合わせが挙げられる。これらの組み合わせの中でも、ポリオキシエチレンアルキルエーテル硫酸エステル塩（ＡＥＳ）、アルカンスルホン酸塩（ＳＡＳ）及びαオレフィンスルホン酸塩（ＡＯＳ）の組み合わせ、ポリオキシエチレンアルキルエーテル硫酸エステル塩（ＡＥＳ）及びアルカンスルホン酸塩（ＳＡＳ）の組み合わせがより好ましい。
【００４５】
本発明の液体洗浄剤組成物は、上記（Ｄ）成分として直鎖アルキルベンゼンスルホン酸塩（ＬＡＳ）を含有しないことが好ましい。アルキルベンゼンスルホン酸塩（ＬＡＳ）は脱脂力が強く、手荒れの原因になる場合があるためである。
【００４６】
上記（Ｄ）成分の含有量は、１０〜４０重量％であることが好ましい。より好ましくは、１０〜３５重量％であり、さらに好ましくは、１５〜３５重量％である。
上記（Ｄ）成分が２種以上含まれる場合、上記含有量は、各（Ｄ）成分の含有量の合計として定める。
【００４７】
本発明の液体洗浄剤組成物は、さらに、（Ｅ）両性界面活性剤を０．５〜１０重量％含有することが望ましい。
上記（Ｅ）成分としては、アルキルアミンオキサイド、アルキルアミドアミンオキサイド、アルキルベタイン、アルキルアミドベタイン、アルキルアミノ脂肪酸塩等が挙げられ、これらは炭素数８〜１８のアルキル基を有することが好ましい。特に、ラウリン酸アミドプロピルアミンオキサイド、ミリスチン酸アミドプロピルベタインであることがより好ましい。これらは、単独で用いても、２種以上を組み合わせて用いてもよい。
【００４８】
上記（Ｅ）成分の含有量は、０．５〜１０重量％であることが好ましい。より好ましくは、１〜８重量％であり、さらに好ましくは、２〜６重量％である。
上記（Ｅ）成分が２種以上含まれる場合、上記含有量は、各（Ｅ）成分の含有量の合計として定める。
【００４９】
本発明の液体洗浄剤組成物は濃縮型の液体洗浄剤組成物であるが、希釈前の液体洗浄剤組成物の粘度（以下、原液の粘度ともいう）として、２０℃における粘度が１００〜１，０００ｍＰａ・ｓであることが好ましい。より好ましくは、１００〜６５０ｍＰａ・ｓである。
なお、液体洗浄剤組成物の粘度の測定は、ＪＩＳ  Ｚ  ８８０３に準拠し、Ｅ型粘度計を用いて行うことができる。
【００５０】
本発明の液体洗浄剤組成物は、水で６倍に希釈した際の希釈液の２０℃における粘度が１００〜１，０００ｍＰａ・ｓであることが好ましい。より好ましくは、１５０〜６５０ｍＰａ・ｓである。
また、本発明の液体洗浄剤組成物は、水で２〜６倍に希釈したいずれの希釈液においても２０℃における粘度が１００〜１，０００ｍＰａ・ｓとなる組成であることが好ましい。
【００５１】
本発明の液体洗浄剤組成物は、ｐＨが５〜９であることが好ましい。より好ましくは、６〜８であり、さらに好ましくは６〜７である。
なお、ｐＨは、ＪＩＳ  Ｚ  ８８０２に記載の方法により測定することができる。
【００５２】
本発明の液体洗浄剤組成物には、さらに、必要に応じて、所望のｐＨに調整するため、（Ｆ）ｐＨ調整剤が含まれていてもよい。
上記（Ｆ）成分としては、硫酸、塩酸、クエン酸等の酸性化合物、モノエタノールアミン、ジエタノールアミン、トリエタノールアミン等のアルカノールアミン、水酸化ナトリウム、水酸化カリウム等のアルカリ性化合物、炭酸ナトリウム、炭酸水素ナトリウム、炭酸カリウム、炭酸水素カリウム等の炭酸塩、オルソケイ酸ナトリウム、メタケイ酸ナトリウム、オルソケイ酸カリウム、メタケイ酸カリウム等のケイ酸塩、リン酸ナトリウム、リン酸水素ナトリウム、リン酸カリウム、リン酸水素カリウム等のリン酸塩等が挙げられる。これらは、単独で用いても、２種以上を組み合わせて用いてもよい。
上記（Ｆ）成分の配合量は、特に限定されるものではないが、液体洗浄剤組成物のｐＨが５〜９となるように加えることが好ましい。より好ましくは、６〜８であり、さらに好ましくは６〜７である。
【００５３】
本発明の液体洗浄剤組成物には、さらに、（Ｇ）水が含まれていてもよい。
上記（Ｇ）成分としては、水道水、蒸留水、純水又はイオン交換水等が挙げられる。これらは、単独で用いても、２種以上を組み合わせて用いてもよい。特に、不純物の少なさ及び経済性の点からイオン交換水であることが望ましい。
【００５４】
上記（Ｇ）成分は、本発明の液体洗浄剤組成物において液体洗浄剤組成物を構成する各成分に由来する結晶水や水溶液の形で含まれる水と、その他の外から加えられる水との総和であり、組成物全体が１００重量％となるようにバランス量が配合される。
【００５５】
本発明の液体洗浄剤組成物には、さらに、（Ｈ）有機溶剤が含まれていてもよい。
上記（Ｈ）成分としては、１価アルコール類又は多価アルコール類を好適に用いることができ、例えば、メタノール、エタノール、１−プロパノール、２−プロパノール、１−ブタノール、２−ブタノール、２−メトキシエタノール、２−エトキシエタノール、エチレングリコール、プロピレングリコール、ジプロピレングリコール、１，４−ブタンジオール、１，６−ヘキサンジオール、グリセリン、ポリエチレングリコール、ポリプロピレングリコール等が挙げられる。特に、エタノール、プロピレングリコール、グリセリン、ポリエチレングリコール、ポリプロピレングリコールであることが好ましい。これらは、単独で用いても、２種以上を組み合わせて用いてもよい。
【００５６】
上記（Ｈ）成分を含むと、濃縮型の液体洗浄剤組成物の粘度が高くなり過ぎない範囲に抑えることが容易になり、製造時の作業性がより向上する。また、液体洗浄剤組成物の透明外観を維持しやすくなり、製造時、保管時に成分の分離が起こりにくくなる。
【００５７】
上記（Ｈ）成分の含有量は、１重量％以上であることが好ましい。より好ましくは、２重量％以上である。また、１０重量％以下であることが好ましく、５重量％以下であることがより好ましい。
上記（Ｈ）成分が２種以上含まれる場合、上記含有量は、各有機溶剤の含有量の合計として定める。
【００５８】
本発明の液体洗浄剤組成物には、任意成分として、キレート剤、香料、染料、防腐剤、金属腐食抑制剤、消泡剤、高分子化合物、又は、曇点向上剤等が含まれていてもよい。
【００５９】
次に、本発明の液体洗浄剤組成物の製造方法の一例について説明する。
本発明の液体洗浄剤組成物は、（Ａ）一般式（１）で表される化合物と、（Ｂ）安息香酸及び／又はその塩と、（Ｃ）マグネシウム含有化合物と、必要に応じて（Ｄ）陰イオン界面活性剤と、必要に応じて（Ｅ）両性界面活性剤と、必要に応じて（Ｆ）ｐＨ調整剤と、必要に応じて（Ｇ）水と、必要に応じて（Ｈ）有機溶剤とを、ミキサーを用いて攪拌することにより製造することができる。
【００６０】
次に、本発明の液体洗浄剤組成物を用いた洗浄方法の一例について説明する。
本発明の液体洗浄剤組成物を用いた被洗浄物の洗浄方法は、上記液体洗浄剤組成物を水で所定の倍率に希釈することで希釈液とし、該希釈液を用いて被洗浄物の洗浄を行うことを特徴とする。
【００６１】
希釈液における各成分の好ましい濃度は、（Ａ）一般式（１）で表される化合物が０．１５〜０．７重量％、（Ｂ）安息香酸及び／又はその塩が０．６〜１．７重量％、（Ｃ）マグネシウム含有化合物が０．０３〜０．１７重量％であり、水で希釈することにより上記濃度になるように調製された濃縮型の液体洗浄剤組成物は、本発明の液体洗浄剤組成物として好ましい組成である。
【００６２】
被洗浄物は、特に限定されるものではなく、例えば、食器や調理器具等の台所用具、厨房用具、野菜、果物等が挙げられる。
また、洗浄方法も特に限定されるものではなく、被洗浄物に応じて、手洗い、漬け置き洗い等の方法を定めればよい。
【実施例】
【００６３】
以下、本発明をより具体的に説明する実施例を示す。なお、本発明はこれらの実施例のみに限定されるものではない。
【００６４】
（実施例１〜８）
表１に示す配合で、（Ａ）〜（Ｈ）成分を混合して液体洗浄剤組成物１０００ｇを調製した。そして、液体洗浄剤組成物１０００ｇのうち５００ｇを、透明なプラスチックフィルム製のパウチに入れて保存し、液体洗浄組成物の原液を得た。残りの５００ｇは、希釈用容器に量り取り、水２５００ｇを投入して攪拌し、液体洗浄剤組成物の６倍希釈液を得た。
【００６５】
（比較例１〜１４）
表２に示す配合で、（Ａ）、（Ｃ）〜（Ｈ）成分、トルエンスルホン酸ナトリウム、キシレンスルホン酸ナトリウム、クメンスルホン酸ナトリウムを混合して液体洗浄剤組成物１０００ｇを調製したこと以外は、実施例１〜８と同様にして、液体洗浄剤組成物の原液及び希釈液を得た。
なお、表１及び２における各成分の配合量は、各成分を含む溶液としての配合量ではなく、各成分の純分を示している。
【００６６】
表１及び２における各成分の詳細は以下のとおりである。
（Ａ−１）：川研ファインケミカル（株）社製  フォーマイト２Ｅ８（Ｒが炭素数８のアルキル基であり、Ａ１Ｏ及びＡ２Ｏが共にオキシエチレン基であり、ｍ＋ｎが１．９）
（Ａ−２）：川研ファインケミカル（株）社製  ビスコファインＥ２Ｃ（Ｒが炭素数８〜１８のヤシ油アルキル基であり、Ａ１Ｏ及びＡ２Ｏが共にオキシエチレン基であり、ｍ＋ｎが２．０）
（Ｂ−１）：（株）伏見製薬所製  安息香酸
（Ｂ−２）：（株）伏見製薬所製  安息香酸ナトリウム
（Ｃ−１）：赤穂化成（株）社製  水酸化マグネシウム
（Ｃ−２）：和光純薬工業（株）社製  塩化マグネシウム・６水和物
（Ｄ−１）：花王（株）社製  エマール２７０Ｊ（ポリオキシエチレンラウリルエーテル硫酸ナトリウム）
（Ｄ−２）：第一工業製薬（株）社製  ハイテノール３３０Ｔ（ポリオキシエチレントリデシルエーテル硫酸ナトリウム）
（Ｄ−３）：クラリアントジャパン（株）社製  Ｈｏｓｔａｐｕｒ  ＳＡＳ  ９３（第２級アルカンスルホン酸ナトリウム）
（Ｄ−４）：ライオン（株）社製  リポランＬＪ−４４１（α−オレフィンスルホン酸ナトリウム）
（Ｅ−１）：クラリアントジャパン（株）社製  Ｇｅｎａｍｉｎｏｘ  ＡＰ（ラウリルアミドプロピルジメチルアミンオキシド）
（Ｅ−２）：松本油脂製薬（株）社製  マーポビスターＭＡＰ（ミリスチン酸アミドプロピルベタイン）
（Ｆ−１）：東ソー（株）社製  水酸化ナトリウム水溶液４９％
（Ｆ−２）：後藤化学（株）社製  硫酸３８％
（Ｈ−１）：（株）ＡＤＥＫＡ社製  プロピレングリコール
（Ｈ−２）：第一アルコール（株）社製  エタノール
【００６７】
【表１】
0006359910.tif 000005
【００６８】
【表２】
0006359910.tif 000006
【００６９】
（ｐＨ測定）
ｐＨメーター（（株）堀場製作所製、Ｄ−２１型）を用いて、各液体洗浄剤組成物（原液、２５℃）のｐＨを測定した。結果を表１及び２に示した。
【００７０】
（外観観察）
各液体洗浄剤組成物の原液及び６倍希釈液を目視で確認して、液体が透明かどうかを確認した。結果を表１及び２に示す。
【００７１】
（粘度測定）
各液体洗浄剤組成物の原液及び６倍希釈液について、粘度を測定した。粘度は、Ｅ型粘度計（東機産業（株）社製  ＶＩＳＣＯＭＥＴＥＲ  ＴＶ−２２）を用いて、２０℃において２０ｒｐｍの回転を付与して測定した。結果を表１及び２に示した。
なお、外観が濁っていて粘度が測定できなかったものは、「−」と記載した。
【００７２】
（洗浄力評価）
以下の手順により洗浄力を評価した。
まず、洗浄対象の汚れとして、大豆白絞油：牛脂＝１：１で混合した汚れを準備し、上記汚れ１ｍＬを試験用皿に一面に塗り広げ、一晩室温で放置した。
各液体洗浄剤組成物の６倍希釈液３Ｌを準備し、上記希釈液を液温３０℃として、上記試験用皿を充分に温めた後、洗浄液を含んだスポンジで汚れを拭き取った。
そして、スポンジに付着した汚れを洗浄液中で揉み出した。
この操作を繰り返し、試験用皿に付着した汚れがスポンジで綺麗に拭き取れなくなるまでの皿の枚数を数えて、以下の評価基準に従って洗浄力を評価した。結果を表１及び２に示した。
◎：皿の枚数が５枚以上
○：皿の枚数が３〜４枚
×：皿の枚数が２枚以下
【００７３】
（泡持ち試験）
以下の手順により泡持ちを評価した。
まず、洗浄対象の汚れとして、大豆白絞油：牛脂＝１：１で混合した汚れを準備した。
次に、コンテナ内に置いたスポンジに２０ｇの水を含ませて揉み込んだ後、スポンジの中心部に各液体洗浄剤組成物の６倍希釈液１.０ｇと、汚れ２．５ｇとを付着させた。そして、コンテナ内でスポンジを二つ折りにして一定の力で１０回揉み込んだ後、泡を強く絞りだした。薬さじでコンテナ内の泡を集め、２５０ｍＬビーカーに移した。最後に、泡の量を目視により測定し、以下の評価基準に従って泡持ちを評価した。
◎：泡量が２５０ｍＬ以上
○：泡量が５０ｍＬ以上、２５０ｍＬ未満
×：泡量が５０ｍＬ未満
【００７４】
表１の実施例１〜８の結果からわかるように、（Ａ）成分０．５〜５重量％と、（Ｂ）成分１〜１５重量％と、（Ｃ）成分０．０１〜３重量％とを含有する液体洗浄剤組成物では、希釈前後で適度な粘度及び透明外観を有する。また、優れた洗浄力及び泡持ち性を有する。
【００７５】
一方、表２の比較例１及び６の結果からわかるように、（Ｃ）成分が含まれない液体洗浄剤組成物では、泡持ち性が劣る。
比較例２〜５、７〜１０及び１２の結果からわかるように、（Ｂ）成分が含まれない液体洗浄剤組成物では、６倍希釈液の粘度が低くなりすぎる。また、比較例５及び１０では、液体洗浄剤組成物自身（原液）が濁る。
比較例１１の結果からわかるように、（Ａ）成分が過剰な液体洗浄剤組成物では、洗浄力が劣り、また、６倍希釈液の粘度が低くなりすぎる。
比較例１３の結果からわかるように、（Ａ）成分が含まれない液体洗浄剤組成物では、泡持ち性が低下し、また、希釈時に粘度が低くなりすぎる。
比較例１４の結果からわかるように、（Ｂ）成分が過剰な液体洗浄剤組成物では、希釈液が濁る。